(57)【特許請求の範囲】
【請求項１】
ある任意の一端末に設けられた通常サービス処理部が他の端末との間に形成された通常サービス用第１のリンクを用いて第１の受信部、第１の送信部を介して通話可能なシステムにおいて、前記一端末に付加サービスサーバーと第２の受信部、第２の送信部を介して通信する付加サービスクライアントを設けると共に、前記付加サービスサーバーと前記第２の受信部、第２の送信部との間に前記第１のリンクとは独立した付加サービス用第２のリンクを設け、かつ前記一端末にデータ複写部を設け、該データ複写部は前記第１の受信部または通常サービス処理部からのデータを複写して付加サービス送信データとして前記付加サービスクライアントに送出し、該付加サービスクライアントは、前記付加サービス送信データを前記第２の送信部及び前記第２のリンクを介して前記付加サービスサーバーに送信すると共に、該付加サービスサーバーからの付加サービス受信データを前記第２のリンク及び前記第２の受信部を介して受信することを特徴とする付加サービス提供方式。
【請求項２】
前記データ複写部を前記通常サービス処理部内に設けたことを更に特徴とする請求項１に記載の付加サービス提供方式。
【請求項３】
前記第１の受信部及び前記第２の受信部とを、複数のリンクからの受信を同時に処理する能力を備えることを前提として、同一機能ブロックとして構成することを更に特徴とする請求項１〜２のいずれか一項に記載の付加サービス提供方式。
【請求項４】
前記第１の送信部及び前記第２の送信部とを、複数リンクへの送信を同時に処理する能力を備えることを前提として、同一機能ブロックとして構成することを更に特徴とする請求項１〜３のいずれか一項に記載の付加サービス提供方式。
【発明の詳細な説明】
【０００１】
【発明の属する技術分野】
本発明は、付加サービス提供方式に関し、特に、マルチメディアサービスが可能な通信端末において、マルチリンク間のデータ複写を行うことにより、特定リンクから得られたデータに基づく付加サービスを、元リンクへの影響なしに提供することができる付加サービス提供方式に関する。
【０００２】
本発明の特徴を更に詳しく説明するに、図１において、端末２１、２２は通信網１０を介して相互に通話を行っているものとする。受信部３１、３３は通信網１０からのデータを受信し、それぞれ通常サービス処理部４１と付加サービスクライアント４２へと渡す。送信部３２、３４はそれぞれ通常サービス処理部４１、付加サービスクライアント４２からのデータを受け付け、送信処理後に通信網１０へとデータを送出する。
【０００３】
通常サービス処理部４１では受信部３１、送信部３２とデータのやりとりを行い、端末２２のユーザーに対してサービスを提供する。
【０００４】
通常サービス処理部４１内に設けられたデータ複写部４３は、受信部３１から受信データ６１、通常サービス処理部４１から送信データ６２を受け取り、これらを複写して付加サービスクライアント４２へと渡す。
【０００５】
付加サービスクライアント４２は、データ複写部４３から受け取った付加サービスデータ６４を送信部３４と通信網１０を介して付加サービスサーバー４４へと送信し、付加サービスの結果である、付加サービス受信データ６３を通信網１０と受信部３３を介して受信し、ユーザーに対して付加サービスを提供する。
【０００６】
このようにして、本発明では、付加サービスが要求されたときに、通常サービス用リンク７１とは独立した付加サービス用リンク７２を設定し、通常サービス用リンク７１から付加サービス用リンク７２へのデータの受け渡しを、端末２２内に有するデータ複写部４３で行うことにより、通常サービス用リンク７１に対して影響を与えずに、付加サービスを提供することが可能となる。
【０００７】
【従来の技術】
現在提供されている付加サービスを図３を参照して説明する。
【０００８】
図３において、通常のサービスは通常サービス時リンク７１によって提供されている。
【０００９】
ここで、ユーザーから付加サービスの要求があったときには、通常サービス用リンク７１から付加サービス用リンク７３へと切り替え、付加サービスサーバー４４との接続を確保する。
【００１０】
【発明が解決しようとする課題】
しかしながら、この付加サービスの提供形態には、次のような課題がある。
【００１１】
第１の課題は、リンクの切り替え処理が必要なために、通常サービスにおいて、リンク切り替え処理、遅延の増加などによる瞬断が発生することである。
【００１２】
第２の課題は、リンクの切り替えは通常サービスを利用中の両端末間で行なわれるために、相手側ユーザーに付加サービスの適用が知られてしまうことである。
【００１３】
本発明は従来の上記実情に鑑み、従来の技術に内在する上記課題を解決する為になされたものであり、従って本発明の目的は、通常サービスに影響を与えることなしに、更に通常サービスを通して通信中の相手ユーザーに付加サービスの適用を知られることなしに、付加サービスを提供することを可能とした新規な付加サービス提供方式を提供することにある。
【００１４】
【課題を解決するための手段】
上記目的を達成する為に、本発明に係る付加サービス提供方式は、ある任意の一端末に設けられた通常サービス処理部が他の端末との間に形成された通常サービス用第１のリンクを用いて第１の受信部、第１の送信部を介して通話可能なシステムにおいて、前記一端末に付加サービスサーバーと第２の受信部、第２の送信部を介して通信する付加サービスクライアントを設けると共に、前記付加サービスサーバーと前記第２の受信部、第２の送信部との間を前記第１のリンクとは独立した付加サービス用第２のリンクを設けて構成される。
【００１５】
前記一端末にデータ複写部を設け、該データ複写部は前記第１の受信部または通常サービス処理部からのデータを複写して付加サービス送信データとして前記付加サービスクライアントに送出し、該付加サービスクライアントは、前記付加サービス送信データを前記第２の送信部及び前記第２のリンクを介して前記付加サービスサーバーに送信すると共に、該付加サービスサーバーからの付加サービス受信データを前記第２のリンク及び前記第２の受信部を介して受信することを特徴としている。
【００１６】
前記データ複写部を前記通常サービス処理部内に設けることができる。
【００１７】
前記第１の受信部及び前記第２の受信部とを、複数のリンクからの受信を同時に処理する能力を備えることを前提として、同一機能ブロックとして構成することができる。
【００１８】
前記第１の送信部及び前記第２の送信部とを、複数リンクへの送信を同時に処理する能力を備えることを前提として、同一機能ブロックとして構成することができる。
【００１９】
【発明の実施の形態】
次に、本発明をその好ましい一実施の形態について図面を参照しながら詳細に説明する。
【００２０】
図１は、本発明による一実施の形態を示すブロック構成図である。
【００２１】
【実施の形態の構成】
図１を参照するに、そこには本発明に係るマルチメディアサービスが提供可能な通信端末における付加サービス提供方式が示されており、端末２１、２２は、通信網１０に接続されている通信装置であり、受信部３１、３３、送信部３２、３４、通常サービス処理部４１、付加サービスクライアント４２、データ複写部４３は、端末２２に属する装置である。
【００２２】
受信部３１は、端末２１からの受信データ６１を通信網１０上の通常サービス用リンク７１を経由して受信し、通常サービス処理部４１へと渡す。受信部３３は、付加サービスサーバー４４からの付加サービス受信データ６３を通信網１０上の付加サービス用リンク７２を経由して受信し、付加サービスクライアント４２へと渡す。
【００２３】
送信部３２は、通常サービス処理部４１からの送信データ６２を、通信網１０上の通常サービス用リンク７１を経由して端末２１へと送信する。送信部３４は、付加サービスクライアント４２からの付加サービス送信データ６４を、通信網１０上の付加サービス用リンク７２を経由して付加サービスサーバー４４へと送信する。
【００２４】
通常サービス処理部４１は、受信部３１からの受信データ６１を元にユーザーにサービスを提供し、サービスによって得られた情報を送信データ６２として送信部３２へと渡す。付加サービスクライアント４２は受信部３３からの付加サービス受信データ６３を元にユーザーに付加サービスを提供し、付加サービスに必要な情報を付加サービス送信データ６４として送信部３４へと渡す。
【００２５】
付加サービスサーバー４４は通信網１０を経由して送信部３４から付加サービス送信データ６４を受け取り、端末２２のユーザーに付加サービスを提供するためのデータ処理を行い、付加サービス受信データ６３を生成して通信網１０上の付加サービス用リンク７２を経由して受信部３３へと渡す。
【００２６】
データ複写部４３は、通常サービス処理部４１の一部であり、通常サービス処理部４１で使われている受信データ６１と送信データ６２を複写後に選別して付加サービス６４として付加サービスクライアント４２へと渡す機能を有する。
【００２７】
このように、付加サービスの提供に必要なデータの複写処理を通信網１０上の通常サービス用リンク７１に存在するいずれの機器でもなく端末２２の中で独自に行うことにより、データ複写のために必要な通常サービス用リンク７１の切り替え処理が不要となる。このために、端末２２と端末２１間の通常サービスにおいては瞬断を起こすことなく付加サービスの提供が開始される。
【００２８】
また、データ複写処理、及び付加サービスのためのリンクの設定を、端末２１に関与しない経路で行っていることにより、付加サービスの提供を端末２１のユーザーに感知されることなく開始することができる。
【００２９】
以上、一実施の形態の構成を述べたが、図１の通信網１０は、当業者によってよく知られており、また本発明とは直接関係しないのでその詳細な構成は省略する。
【００３０】
なお、送信部３２と３４、受信部３１と３３については、通常サービス用リンク７１と付加サービス用リンク７２上のデータ通信に関して影響がない場合においては、それぞれ同一の装置である構成であってもよい。
【００３１】
【実施の形態の動作】
次に、本発明に係る一実施の形態の動作について説明する。
【００３２】
図２は本発明による一実施の形態の動作を示すタイミングチャートである。
【００３３】
図２において、端末２１と、端末２２の通常サービス処理部４１が通常サービス用リンク７１において通話中であるものとする。
【００３４】
ここで、図２において、付加サービスクライアント４２に対して付加サービス要求発生５１のイベントが起こった場合には、付加サービスクライアント４２は、付加サービスサーバー４４との間に付加サービス用リンク７２を新たに確立し、その上で認証手順５２を実行する。
【００３５】
認証手順５２が滞りなく終了した場合には、付加サービスサーバー４４は、課金開始５４の動作を行い、データの受け付け待ち状態となり、付加サービスクライアント４２は、データ要求５３を通常サービス処理部４１へと送信し、データの受け付け待ち状態となる。
【００３６】
通常サービス処理部４１は、図１のデータ複写部４３の機能により、付加サービス提供のために必要なデータの複写を開始し、付加サービス送信データ６４として送信を開始する。
【００３７】
以後付加サービスクライアント４２と付加サービスサーバー４４は、付加サービス用リンク７２上でデータをやりとりすることにより、付加サービスをユーザーに提供することになる。
【００３８】
ここでいう付加サービスの例として、通常サービス用リンク７１上の通話データを付加サービスサーバー４４上に蓄積するもの、通常サービス用リンク７１上の音声データをテキスト化してユーザーに提供するもの、通常サービス用リンク７１上の音声データをテキスト化し、さらに言語翻訳してユーザーに提供するもの、通常サービス用リンク７１上のテキストデータを音声データに変換してユーザーへ提供するもの、通常サービス用リンク７１上でやりとりされている制御情報を元に通話先ユーザーに関する情報を検索するサービスなどが考えられる。
【００３９】
【他の実施の形態】
本発明による他の実施の形態として、以下に示す構成が考えられる。
【００４０】
図１において、受信部３１と受信部３３は別個の機能ブロックとして記載したが、複数のリンクからの受信を同時に処理する能力があれば同一の受信部であってもよい。
【００４１】
また同様に、図１において、送信部３２と送信部３４は別個の機能ブロックとして記載したが、複数のリンクへの送信を同時に処理する能力があれば同一の送信部であってもよい。
【００４２】
また、端末２２に設けられた付加サービス提供機能を実現する各構成要素を、端末２１に同様に設けることも可能である。
【００４３】
【発明の効果】
本発明は以上の如く構成され、作用するものであり、本発明によれば以下に示すような効果が得られる。
【００４４】
第１の効果は、付加サービスのために既存リンクを使用しないことにより、既存のサービスに遅延、瞬断などの影響を与えないで付加サービスが提供できることである。
【００４５】
第２の効果は、既存サービスによる通話先の端末とは独立して処理を行うことにより、通話先端末のユーザーに検知されることなく付加サービスを提供できることである。
【図面の簡単な説明】
【図１】本発明による一実施の形態を示すブロック構成図である。
【図２】本発明による一実施の形態の動作例を示すタイミングチャートである。
【図３】従来例を示すブロック図である。
【符号の説明】
１０…通信網
２１、２２…端末
３１、３３…受信部
３２、３４…送信部
４１…通常サービス処理部
４２…付加サービスクライアント
４３…データ複写部
４４…付加サービスサーバー
５１…付加サービス要求発生
５２…認証手順
５３…データ要求
５４…課金開始
６１…受信データ
６２…送信データ
６３…付加サービス受信データ
６４…付加サービス送信データ
【図１】
0003638129.tif 000002
【図２】
0003638129.tif 000003
【図３】
0003638129.tif 000004